(57)【要約】【課題】  通常生理ナプキンを持ち運ぶ場合、人目につかないようにポーチに収納したり、ハンカチに包むなど苦労を要し、使用済みのものを持ち帰らなくてはならない際には防水加工などがされておらず不向きであり、ファスナー等接続部を備えたものは使用時にファスナー音等を伴い開閉時に気を使い、両手での動作が多く不便であった。【解決手段】  ハンカチの形状を保持する抑え部を設け、小物入れの内側は防水加工を施し、開口口には折り返しとバネを設けた約１３センチメートルの略正方形の大きさのハンカチに見える生理ナプキン入れである。【選択図】図３
2018161456.tif 000002
【特許請求の範囲】
【請求項１】
ハンカチの二分の一の大きさの長方形のハンカチ布を設け、内側の半面に、ハンカチの四分の一の大きさの小物入れを備え、小物入れの内側は防水加工を施した素材で形成されており、外側はハンカチ布で形成され、小物入れの開口部にはバネを設け、バネの上辺が長方形のハンカチ布のほぼ中央部に位置し、小物入れの防水加工素材がバネ上辺より長めに形成されており長方形のハンカチ布をハンカチの四分の一の大きさに折った際には、折り返し部となり、小物入れ側辺のレース外辺から小物入れ底辺のレース外辺に斜めにハンカチ抑え部を設け、ハンカチを四分の一に折ったとき小物入れに被さったハンカチ布の角をハンカチ抑え部に差し込むことで被さったハンカチ布がはだけることを防ぐことができ、ハンカチの二分の一の大きさの長方形のハンカチ布の内側の小物入れの反対面には小物入れの折り返し部と対面したハンカチ布のポケットを備えポケットの開口部は小物入れの折り返し部の開口部と向き合った形状であり、長方形のハンカチ布の長辺一辺と短辺二辺にはレースを施しハンカチの四分の一の大きさに折った際にはまるでハンカチが折られているように見える。
以上を特徴とする約１３センチメートルの略正方形の大きさのハンカチに見える生理ナプキン入れである。
【発明の詳細な説明】
【技術分野】
【０００１】  本発明は、ハンカチを四分の一に畳んだ外見を保形し、内側に防水加工の小物入れを備え、約１３センチメートルの略正方形の大きさのハンカチに見える生理ナプキン入れに関するものである。
【背景技術】
【０００２】  従来、生理ナプキンを持ち運ぶ場合、人目につかないようにポーチに収納したり、ハンカチに包むなど苦労を要し、ハンカチの形状をしたものは折った形状に保持するための部位は設けられていないため落とした時等にナプキンが見えてしまう可能性があった。
使用済みのものを持ち帰らなくてはならない際には防水加工などがされておらず不向きであった（特許文献１参照）。
又、ファスナー等接続部を備えたものは使用時にファスナー音等を伴い開閉時に気を使い、両手での動作が多く必要であり使用済みのものを入れる防水加工などはされていなかった（特許文献２参照）（特許文献３参照）。
【先行技術文献】
【０００３】
【特許文献１】実用新案登録第３１２８７２５号公報
【特許文献２】実用新案登録昭和５４−８９８９７公報
【特許文献３】特開２００８−２２２２６１号公報
【発明の概要】
【発明が解決しようとする課題】
【０００４】  参考文献に示される先行文献は、ハンカチを折った形状に保持するための部位は設けられていないため落とした時等にナプキンが見えてしまう可能性があった。
使用済みのものを持ち帰らなくてはならない際には防水加工などがされておらず不向きであった。
又、ファスナー等接続部を備えたものは使用時にファスナー音等を伴い開閉時に気を使い、両手での動作が多く必要であった。
本発明は、以上の問題を解決するためになされたものである。
【問題を解決するための手段】
【０００５】  ハンカチの二分の一の大きさの長方形のハンカチ布を設け、内側の半面に、ハンカチの四分の一の大きさの小物入れを備え、小物入れの内側は防水加工を施した素材で形成されており、外側はハンカチ布で形成され、小物入れの開口部にはバネを設け、バネの上辺が長方形のハンカチ布のほぼ中央部に位置し、小物入れの防水加工素材がバネ上辺より長めに形成されており長方形のハンカチ布をハンカチの四分の一の大きさに折った際には、折り返し部となり、小物入れ側辺のレース外辺から小物入れ底辺のレース外辺に斜めにハンカチ布抑え部を設け、ハンカチを四分の一に折ったとき小物入れ部に被さったハンカチ布の角をハンカチ抑え部に差し込むことで被さったハンカチ布がはだけることを防ぐことができ、ハンカチの二分の一の大きさの長方形のハンカチ布の内側の小物入れの反対面には小物入れの折り返し部と対面したハンカチ布のポケットを備え、ポケットの開口部は小物入れの折り返し部の開口部と向き合った形状であり、長方形のハンカチ布の長辺一辺と短辺二辺にはレースを施しハンカチの四分の一の大きさに折った際にはまるでハンカチが折られているように見える。
以上を特徴とする約１３センチメートルの略正方形の大きさのハンカチに見える生理ナプキン入れである。
【発明の効果】
【０００６】  従来、生理ナプキンを持ち運ぶ場合、人目につかないようにポーチに収納したり、ハンカチに包むなど苦労を要したが、ハンカチの形状を保持しているためポーチを持ち歩くのが不自然な場合でも使える。
気を使わずに持ち歩くことができる。
うっかり落とした場合も拾いやすい。
使用済みのものも収納できる。
開口部がバネのため使用時のファスナー音等を気にすることもなく、開閉が片手で簡単にできる。
【図面の簡単な説明】
【０００７】
【図１】  本発明のナプキン収納時を示し、開いた内側の正面図である。
【図２】  本発明の開いた状態を示した表側の正面図である。
【図３】  本発明の携帯時の状態を示した正面図である。
【図４】  本発明のバネを指で押えて開口部を開いた状態の斜視図である。
【本発明を実施するための形態】
【０００８】  以下、本発明の実施の形態を説明する。
ハンカチの二分の一の大きさの長方形のハンカチ布（１）を設け、内側の半面に、ハンカチの四分の一の大きさの小物入れ（２）を備え、小物入れの内側は防水加工を施した素材（２Ａ）で形成されおり、外側はハンカチ布（１Ａ）で形成されている。
【０００９】  小物入れの開口部にはバネ（３）を設け、バネの上辺（３Ａ）が長方形のハンカチ布（１）のほぼ中央部に位置し、小物入れの防水加工素材（２Ａ）がバネ上辺（３Ａ）より長めに形成されておりハンカチ布（１）をハンカチの四分の一の大きさに折った際には、小物入れの折り返し部（４）となる。
【００１０】  小物入れ側辺のレース外辺（２Ｂ）から小物入れ底辺のレース外辺（２Ｃ）に斜めにハンカチ抑え部（５）を設け、ハンカチを四分の一に折ったとき小物入れ部（２）に被さったハンカチ布の角（１Ｂ）をハンカチ抑え部（５）に差し込むことで被さったハンカチ布（１）がはだけることを防ぐことができる。
【００１１】  ハンカチの二分の一の大きさの長方形のハンカチ布（１）の内側の小物入れ（２）の反対面には小物入れの折り返し部（４）と対面したハンカチ布のポケット（６）を備え、ポケットの開口部（６Ａ）は小物入れの折り返し部（４）の開口部（４Ａ）と向き合った形状である。
【００１２】  長方形のハンカチ布（１）の長辺一辺（１Ｃ）と短辺（１Ｄ）二辺にはレース（７）を施し、ハンカチの四分の一の大きさに折った際にはまるで約１３センチメートルの略正方形の大きさのハンカチが折られているように見える。
本発明は以上のような構成であり、以下これを実際に使用する場合の諸形態を説明する。
本発明自体がハンカチの形状をしているので生理ナプキンを持ち運ぶ場合、人目に付きにくい。
ポケット（６）に生理ナプキン（８）を収納し、ハンカチ布の角（１Ｂ）をハンカチ抑え部（５）に差し込みハンカチを四つ折りにした形状を保持する。
小物入れ（２）の内側は防水加工を施した素材（２Ａ）で形成されおり、折り返し（４）も有するため使用済みの生理ナプキン（９）も収納可能である。
開口部がバネ（３）のため使用時のファスナー音等を気にすることもなく、開閉が片手で簡単にできる。
【符号の説明】
【００１３】１    ハンカチの二分の一の大きさの長方形のハンカチ布
１Ａ  ハンカチ布
１Ｂ  ハンカチ布の角
１Ｃ  長方形のハンカチ布の長辺
１Ｄ  長方形のハンカチ布の短辺
２    ハンカチの四分の一の大きさの小物入れ
２Ａ  小物入れの内側の防水加工を施した素材
２Ｂ  小物入れ側辺のレース外辺
２Ｃ  小物入れ底辺のレース外辺
３    バネ
３Ａ  バネの上辺
４    小物入れの折り返し部
４Ａ  折り返し部の開口部
５    ハンカチ抑え部
６    ポケット
６Ａ  ポケットの開口部
７    レース
８    生理ナプキン
９    使用済みの生理ナプキン
【図１】
2018161456.tif 000003
【図２】
2018161456.tif 000004
【図３】
2018161456.tif 000005
【図４】
2018161456.tif 000006